(57)【要約】【課題】テレビ視聴とテレビ電話とを両立しようとすると、同じテレビ番組を視聴しているときにハウリングする。【解決手段】テレビ１００のＴＶ電話制御部１６０は、相手機と自機で視聴中の番組が一致する場合は、マイク１４４から入力された音声（相手機から受信した通話音声、自機で受信してスピーカ１３４から出力したテレビ音声および自機の周囲の通話音声）から、相手機から受信した通話音声および自機で受信してスピーカ１３４から出力したテレビ音声を消去するようにエコーキャンセル部１４０を制御し、視聴中の番組が一致しない場合は、マイク１４４から入力された音声から、相手機から受信した通話音声を消去するように、エコーキャンセル部１４０を制御する。【選択図】図２
2012175192.tif 000002
【特許請求の範囲】
【請求項１】
ＴＶ電話の相手機と映像信号及び音声信号を通信するＴＶ電話通信部と、
映像信号を入力する映像入力部と、
音声信号を入力する音声入力部と、
コンテンツを取得する取得部と、
前記取得部が取得した前記コンテンツの映像信号と前記ＴＶ電話通信部が取得した映像信号とを出力する映像出力部と、
前記取得部が取得した前記コンテンツの音声信号と前記ＴＶ電話通信部が取得した音声信号とを出力する音声出力部と、
前記音声入力部に入力された前記音声信号から、指定された音声信号を消去するエコーキャンセル部と、
前記ＴＶ電話通信部に、前記エコーキャンセル部から出力された音声信号と前記映像入力部から入力された映像信号とを前記相手機に送信させるＴＶ電話制御部と、を備え、
前記ＴＶ電話制御部は、前記ＴＶ電話通信部を介して前記相手機において視聴中のコンテンツの情報である第１コンテンツ特定情報を取得し、取得した前記第１コンテンツ特定情報と自機において視聴中のコンテンツの情報である第２コンテンツ特定情報とを比較し、前記第１コンテンツ特定情報と前記第２コンテンツ特定情報が一致すると判断した場合は、前記エコーキャンセル部に対して、前記音声入力部に入力された前記音声信号から、前記ＴＶ電話通信部が取得した音声信号及び前記取得部が取得した前記コンテンツの音声信号を消去させる、ことを特徴とするテレビ電話機能付きコンテンツ再生装置。
【請求項２】
前記ＴＶ電話制御部は、前記第１コンテンツ特定情報と前記第２コンテンツ特定情報が一致しないと判断した場合は、前記エコーキャンセル部に対して、前記音声入力部に入力された前記音声信号から、前記ＴＶ電話通信部が取得した音声信号を消去させる、ことを特徴とする請求項１に記載のテレビ電話機能付きコンテンツ再生装置。
【請求項３】
前記ＴＶ電話制御部は、予め定められた時間、前記第１コンテンツ特定情報と前記第２コンテンツ特定情報とを比較する、ことを特徴とする請求項１または２に記載のテレビ電話機能付きコンテンツ再生装置。
【請求項４】
前記ＴＶ電話制御部は、ＴＶ電話の開始時、前記第２コンテンツ特定情報が変更された時または一定時間毎に、前記ＴＶ電話通信部を介して前記第１コンテンツ特定情報を取得する、ことを特徴とする請求項１または２に記載のテレビ電話機能付きコンテンツ再生装置。
【請求項５】
視聴中のコンテンツの情報である第２コンテンツ特定情報を特定するステップと、
ＴＶ電話の相手機と映像信号及び音声信号を送受信するステップと、
自機の映像信号を入力するステップと、
自機の音声信号を入力するステップと、
前記送受信するステップを介して、前記相手機において視聴中のコンテンツの情報である第１コンテンツ特定情報を取得するステップと、
前記第１コンテンツ特定情報と前記第２コンテンツ特定情報とを比較するステップと、
前記第１コンテンツ特定情報と前記第２コンテンツ特定情報が一致する場合、入力した前記自機の音声信号から、前記送受信するステップを介して取得した前記音声信号及び前記視聴中のコンテンツの音声信号を消去した音声信号を生成するステップと、
前記送受信するステップに、前記自機の映像信号及び前記生成した音声信号を送信させるステップと、
を有することを特徴とするテレビ電話音声処理方法。
【請求項６】
前記第１コンテンツ特定情報と前記第２コンテンツ特定情報が一致しない場合、入力した前記自機の音声信号から、前記送受信するステップを介して取得した前記音声信号を消去した音声信号を生成するステップと、
を更に有することを特徴とする請求項５に記載のテレビ電話音声処理方法。
【請求項７】
前記比較するステップは、予め定められた時間、前記第１コンテンツ特定情報と前記第２コンテンツ特定情報とを比較する、ことを特徴とする請求項５または６に記載のテレビ電話音声処理方法。
【請求項８】
前記第１コンテンツ特定情報を取得するステップは、ＴＶ電話の開始時、前記第２コンテンツ特定情報が変更された時または一定時間毎に、前記送受信するステップを介して前記第１コンテンツ特定情報を取得する、ことを特徴とする請求項５または６に記載のテレビ電話音声処理方法。
【発明の詳細な説明】
【技術分野】
【０００１】
本発明は、映像および音声から構成されるコンテンツを出力する装置（代表的にはテレビジョン受像機（以下、単にテレビまたはＴＶと記載））に、テレビ電話による通話を可能とする機能を設けて、コンテンツ視聴とともに、他の装置との間でテレビ電話による通話を行なうことができるようにした、画像音声通信技術に関する。
【背景技術】
【０００２】
従来から実現されているテレビ電話に加えて、最近では、常時接続ブロードバンド技術の進展に伴い、ＩＰ（Ｉｎｔｅｒｎｅｔ  Ｐｒｏｔｏｃｏｌ）テレビ電話が普及しつつある。このようなＩＰテレビ電話機では、内蔵のカメラによって撮影された映像情報、および、内蔵のマイクによって取得された音声情報を、ＩＰネットワークを介して通信相手先に送信することが可能である。さらに、ＩＰテレビ電話機に内蔵されたカメラおよびマイクを別体のモジュールとして、そのモジュールをパソコンに接続してＩＰテレビ電話を実現する場合もある。さらに、モニタの代わりにテレビの表示部を用いることもある。テレビを用いたＩＰテレビ電話においては、カメラおよびマイクから構成されるモジュールを、インターネット接続されたテレビに接続したり内蔵したりすることが考えられる。
【０００３】
特開２００７−２８１９２３号公報（特許文献１）は、カメラおよびマイクから構成されるモジュールをテレビに内蔵した装置を開示する。この装置は、テレビ電話機能を備えたテレビであって、チャンネル切換などに応じてその情報を遠隔地のテレビに送信して、遠隔地のテレビはこれを受信して遠隔地のテレビに同じ番組を表示する。両者が同じ番組を見ることにより体験共有感を演出する。このようにすると、たとえば、互いに遠隔地に住んでいる家庭どうしがテレビ鑑賞を通じて日常的に情報を交換し、お互いの様子を見守るとともに体験の共有による擬似的な団らんを演出することができる。
【先行技術文献】
【特許文献】
【０００４】
【特許文献１】特開２００７−２８１９２３号公報
【発明の概要】
【発明が解決しようとする課題】
【０００５】
しかしながら、特許文献１に開示された技術を用いて、テレビ視聴とテレビ電話とを同時に実行すると、同じ番組を視聴しているときに、以下の問題が発生する。相手先のテレビにおいて、相手先のユーザの声のみならずテレビ音声もマイクに入力されてしまい、自機へ送信される。自機のスピーカから、相手先のテレビから受信した（相手先のテレビのチューナーが受信して出力した）テレビ音声が出力されてしまい、自機で受信したテレビ音声とハウリングを起こしてしまう。
【０００６】
これに対応するために、相手先のテレビでは、チューナーが受信したテレビ音声をスピーカから出力しないようにすることも考えられる。しかしながら、これでは、異なる番組を視聴していた場合、相手先のテレビ音声が背景音として送信されないので、テレビ視聴とテレビ電話とを両立できない。
【０００７】
本発明は、上述した問題点を解決するためになされたものであって、その目的は、テレビ視聴（広くはコンテンツ視聴）とテレビ電話とを両立することのできる、画像音声通信技術を提供することである。
【課題を解決するための手段】
【０００８】
本発明のある局面に係るテレビ電話機能付きコンテンツ再生装置は、ＴＶ電話の相手機と映像信号及び音声信号を通信するＴＶ電話通信部と、映像信号を入力する映像入力部と、音声信号を入力する音声入力部と、コンテンツを取得する取得部と、取得部が取得したコンテンツの映像信号とＴＶ電話通信部が取得した映像信号とを出力する映像出力部と、取得部が取得したコンテンツの音声信号とＴＶ電話通信部が取得した音声信号とを出力する音声出力部と、音声入力部に入力された音声信号から、指定された音声信号を消去するエコーキャンセル部と、ＴＶ電話通信部に、エコーキャンセル部から出力された音声信号と映像入力部から入力された映像信号とを相手機に送信させるＴＶ電話制御部と、を備える。このＴＶ電話制御部は、ＴＶ電話通信部を介して相手機において視聴中のコンテンツの情報である第１コンテンツ特定情報を取得し、取得した第１コンテンツ特定情報と自機において視聴中のコンテンツの情報である第２コンテンツ特定情報とを比較し、第１コンテンツ特定情報と第２コンテンツ特定情報が一致すると判断した場合は、エコーキャンセル部に対して、音声入力部に入力された音声信号から、ＴＶ電話通信部が取得した音声信号及び取得部が取得したコンテンツの音声信号を消去させる。
【０００９】
本発明の別の局面に係るテレビ電話音声処理方法は、視聴中のコンテンツの情報である第２コンテンツ特定情報を特定するステップと、ＴＶ電話の相手機と映像信号及び音声信号を送受信するステップと、自機の映像信号を入力するステップと、自機の音声信号を入力するステップと、送受信するステップを介して、相手機において視聴中のコンテンツの情報である第１コンテンツ特定情報を取得するステップと、第１コンテンツ特定情報と第２コンテンツ特定情報とを比較するステップと、第１コンテンツ特定情報と第２コンテンツ特定情報が一致する場合、入力した自機の音声信号から、送受信するステップを介して取得した音声信号及び視聴中のコンテンツの音声信号を消去した音声信号を生成するステップと、送受信するステップに、自機の映像信号及び生成した音声信号を送信させるステップと、を有する。
【発明の効果】
【００１０】
上述したテレビ電話機能付きコンテンツ再生装置によると、相手機と自機で同じコンテンツを視聴していると判定されると、音声入力部から入力された音声のうち、相手機から受信した相手側音声および自機で取得したコンテンツ音声が消去されて、相手機に送信される。このため、相手機から、相手機が出力したコンテンツ音声が消去されて送信されてくるので、自機でコンテンツ音声がハウリングすることを回避できる。さらに、相手機と自機で同じコンテンツを視聴していると判定されないと、音声入力部から入力された音声のうち、相手機から受信した相手側音声が消去されて、相手機に送信される。このため、相手機から、相手機が取得したコンテンツ音声が消去されないで送信されてくるので、相手機が自機とは異なるコンテンツを視聴していることがわかるとともに、そのコンテンツを視聴しているときの相手の声を聞くことができる。
【図面の簡単な説明】
【００１１】
【図１】本発明の実施の形態に係るＴＶ電話システムの全体構成図
【図２】図１のＴＶのハードウェア構成図
【図３】図２のＴＶ電話制御部で実行されるプログラムの制御構造を示すフローチャート
【図４】本発明の実施の形態に係るＴＶ電話システムの動作を説明するための図（その１）
【図５】本発明の実施の形態に係るＴＶ電話システムの動作を説明するための図（その２）
【図６】本発明の実施の形態に係るＴＶ電話システムの動作を説明するための図（その３）
【図７】本発明の実施の形態に係るＴＶ電話システムの動作を説明するための図（その４）
【発明を実施するための形態】
【００１２】
以下、図面を参照しつつ本発明の実施の形態に係るＴＶ電話システムについて説明する。以下の説明においては、同一の構成には同一の符号を付してある。それらの名称及び機能は同じである。従って、それらについての詳細な説明は繰り返さない。
【００１３】
（構成）
図１を参照して、本実施の形態に係るＴＶ電話システムは、地上放送局からのデジタル放送波または放送衛星からのデジタル放送波を受信して映像と音声とを出力するテレビ機能に加えてＴＶ電話機能を備えた２台のテレビ（テレビ電話機能付きコンテンツ再生装置）１００を、ネットワークで接続したシステムである。なお、放送された電波に限定されず、ＴＶ機能に代えて／加えて、ネットワークを介して受信したコンテンツデータに基づいて映像と音声とを出力する機能を有しても構わない。このテレビ１００が、テレビ電話機能付きコンテンツ再生装置の一例である。
【００１４】
これらのテレビ１００は、相手先のテレビ１００において視聴中の番組情報（第１コンテンツ特定情報）を取得し、同一番組を視聴中であると（第１コンテンツ特定情報と自機において視聴中の番組情報（第２コンテンツ特定情報）とが一致していると）判断した場合は、マイク１４４から入力された音声（相手機から受信した通話音声、自機で受信してスピーカ１３４から出力したテレビ音声および自機の周囲の通話音声）から、相手機から受信した通話音声および自機で受信してスピーカ１３４から出力したテレビ音声を消去して、自機の周囲の通話音声のみを相手機へ送信するという特徴を備える。図１に示すシステム構成図においては、機能が全く同じテレビ１００どうしをネットワーク接続しているが、上述した特徴を実現するための機能を備えたテレビであればよく、全く同じ機能を備えるテレビである必要はない。
【００１５】
図１に示すように、これらのテレビ１００は、映像を出力する液晶ディスプレイまたはプラズマディスプレイ等からなるモニタ１２４と、音声を出力するスピーカ１３４と、テレビ電話用の音声が入力されるマイク１４４および映像が入力されるカメラ１５４とを備える。
【００１６】
図２に、テレビ１００のハードウェア構成図を示す。チューナー（取得部）１０２は、アンテナ（図示せず）で受信したデジタル放送波を受けて、復調などの処理を行った信号をＤＥＭＵＸ回路１０４へ送る。ＤＥＭＵＸ回路１０４は、チューナー１０２から受けた信号をＭＰＥＧデータと番組付属情報とに分離して、ＭＰＥＧデータをデコード部１０６へ送る。デコード部１０６は、ＤＥＭＵＸ回路１０４から受けたＭＰＥＧデータを復調し、得られた映像信号を映像合成部１２０へ、音声信号を音声合成部１３０へ送る。
【００１７】
メインメモリ１０８は、番組付属情報などを格納する。番組表制御部１１０は、メインメモリ１０８の番組付属情報などから、現在視聴中の番組情報をＴＶ電話制御部１６０へ送る。
【００１８】
映像合成部１２０は、デコード部１０６から送られた映像信号とＴＶ電話制御部１６０で生成した映像信号とを合成した信号を、映像出力回路１２２へ送る。映像出力回路１２２は、映像合成部１２０から送られた映像信号をモニタ１２４へ出力する。映像合成部１２０と映像出力回路１２２とモニタ１２４とで映像出力部１２１を構成する。
【００１９】
音声合成部１３０は、デコード部１０６から送られた音声信号とＴＶ電話制御部１６０で生成した音声信号とを合成した信号を、音声出力回路１３２へ送る。音声出力回路１３２は、音声合成部１３０から送られた音声信号をスピーカ１３４へ出力する。音声合成部１３０と音声出力回路１３２とスピーカ１３４とで音声出力部１３１を構成する。
【００２０】
音声入力回路１４２は、マイク１４４から入力された音声信号をエコーキャンセル部１４０へ送る。映像入力回路１５２は、カメラ１５４から入力された映像信号をＴＶ電話制御部１６０へ送る。音声入力回路１４２とマイク１４４とで音声入力部１４１を構成し、映像入力回路１５２とカメラ１５４とで映像入力部１５１を構成する。
【００２１】
ネットワーク制御部（テレビ電話通信部）１７０は、ＴＶ電話制御部１６０と通信して、相手側のテレビ１００（相手機）にＴＶ電話の映像信号および音声信号を送信したり、相手機からＴＶ電話の映像信号および音声信号を受信したりする。
【００２２】
リモコン受光部１８０は、ユーザ操作などによる外部要求を受信して、リモコン制御部１８２へ通知する。リモコン制御部１８２は、ユーザの操作に応じて、ＴＶ電話についての要求を、ＴＶ電話制御部１６０へ送る。
【００２３】
ＴＶ電話制御部１６０は、ユーザ操作等により、ＴＶ電話が開始されたときに、相手機のＴＶ電話制御部１６０に、視聴中の番組情報（第１コンテンツ特定情報）を問い合わせる。さらに、ＴＶ電話制御部１６０は、自機側のテレビ１００（自機）で現在視聴中の番組情報（第２コンテンツ特定情報）と、相手機で現在視聴中の番組情報とが一致するか否かを判定する。
【００２４】
ＴＶ電話制御部１６０は、視聴中の番組が一致すると判定すると、エコーキャンセル部１４０へ、マイク１４４から入力された音声（相手機から受信した通話音声、自機で受信してスピーカ１３４から出力したテレビ音声および自機の周囲の通話音声）から、相手機から受信した通話音声および自機で受信してスピーカ１３４から出力したテレビ音声を消去するように指示する。
【００２５】
ＴＶ電話制御部１６０は、視聴中の番組が一致しないと判定すると、エコーキャンセル部１４０へ、マイク１４４から入力された音声（相手機から受信した通話音声、自機で受信してスピーカ１３４から出力したテレビ音声および自機の周囲の通話音声）から、相手機から受信した通話音声のみを消去するように指示する。
【００２６】
エコーキャンセル部１４０は、上述したように、ＴＶ電話制御部１６０からの指示に基づいて、音声入力回路１４２からの音声から、相手機から受信した通話音声および自機で受信してスピーカ１３４から出力したテレビ音声を消去したり、相手機から受信した通話音声のみを消去したりする。このとき、エコーキャンセル部１４０は、ＴＶ電話制御部１６０から送られた相手機から受信した通話音声信号およびデコード部１０６から送られたＴＶ音声信号を基準信号として、指示された音声を消去する。
【００２７】
（ソフトウェア構成）
図３を参照して、ＴＶ電話制御部１６０で実行されるＴＶ電話音声処理の制御構造について説明する。ステップ（以下、ステップをＳと記載）１０００にて、ＴＶ電話制御部１６０は、リモコン等を用いたユーザの指示に基づいて、ＴＶ電話を開始する要求を検出したか否かを判定する。ＴＶ電話を開始する要求を検出したと判定されると（Ｓ１０００にてＹＥＳ）、処理はＳ１０１０へ移される。もしそうでないと（Ｓ１０００にてＮＯ）、この処理はＳ１０００へ移される。
【００２８】
Ｓ１０１０にて、ＴＶ電話制御部１６０は、通話処理を開始する。このとき、ＴＶ電話制御部１６０は、通信プロトコルに基づいてＴＶ電話が実現できるように処理する。Ｓ１０２０にて、ＴＶ電話制御部１６０は、相手機へ視聴中の番組情報を問い合わせる。ここで、ＴＶ電話制御部１６０は、所定のプロトコル（たとえばｈｔｔｐ）を用いて、相手機へ番組情報を問い合わせる。なお、視聴中の番組情報の問い合わせを受けたテレビ１００のＴＶ電話制御部１６０は、相手機へ番組情報を送信する。ここで、番組情報は、コンテンツ特定情報の一例である。
【００２９】
Ｓ１０３０にて、ＴＶ電話制御部１６０は、番組情報を相手機から受信したか否かを判定する。番組情報を相手機から受信すると（Ｓ１０３０にてＹＥＳ）、処理はＳ１０４０へ移される。もしそうでないと（Ｓ１０３０にてＮＯ）、この処理はＳ１０３０へ移される。
【００３０】
Ｓ１０４０にて、ＴＶ電話制御部１６０は、予め定められた時間、双方（相手機、自機）ともチャンネル変更されていないか否かを判定する。このように判定するのは、ザッピング（リモコンでチャンネルを頻繁に切り替えながら視聴する行為）による誤動作を防止するためである。予め定められた時間、双方ともチャンネル変更されていないと判定されると（Ｓ１０４０にてＹＥＳ）、処理はＳ１０５０へ移される。もしそうでないと（Ｓ１０４０にてＮＯ）、この処理はＳ１０２０へ移される。
【００３１】
Ｓ１０５０にて、ＴＶ電話制御部１６０は、自機と相手機とで同じ番組を視聴しているか否かを判定する。このとき、ＴＶ電話制御部１６０は、番組表制御部１１０から送られた番組情報（自機）と、受信した番組情報（相手機）とに基づいて判定する。自機と相手機とで同じ番組を視聴していると判定されると（Ｓ１０５０にてＹＥＳ）、処理はＳ１０６０へ移される。もしそうでないと（Ｓ１０５０にてＮＯ）、処理はＳ１０７０へ移される。
【００３２】
Ｓ１０６０にて、ＴＶ電話制御部１６０は、自機のマイク１４４から入力された信号から、相手機から受信した音声信号および自機のスピーカ１３４からの出力ＴＶ音声信号を消去するように、エコーキャンセル部１４０に指示する。なお、自機のマイク１４４から入力された信号には、相手機から受信した音声信号および自機のスピーカ１３４からの出力ＴＶ音声信号に加えて、自機の周囲の人の音声信号が含まれる。ここで、相手機も同じ処理を実行するので、相手機から受信した音声信号には、背景のＴＶ音声信号は含まれておらず、相手機の周囲の人の音声信号のみが含まれている。その後、処理はＳ１０８０へ移される。
【００３３】
Ｓ１０７０にて、ＴＶ電話制御部１６０は、自機のマイク１４４から入力された信号から、相手機から受信した音声信号を消去するように、エコーキャンセル部１４０に指示する。ここで、同じ処理を相手機も実行するので、相手機から受信した音声信号には、背景のＴＶ音声信号に加えて、相手機の周囲の人の音声信号が含まれている。その後、処理はＳ１０８０へ移される。
【００３４】
Ｓ１０８０にて、ＴＶ電話制御部１６０は、通話処理を実行する。このとき、エコーキャンセル部１４０で消去されなかった音声信号が相手機へネットワークを介して送信される。
【００３５】
Ｓ１０９０にて、ＴＶ電話制御部１６０は、リモコン等を用いたユーザの指示に基づいて、ＴＶ電話を終了する要求を検出したか否かを判定する。ＴＶ電話を終了する要求を検出したと判定されると（Ｓ１０９０にてＹＥＳ）、処理はＳ１１００へ移される。もしそうでないと（Ｓ１０９０にてＮＯ）、この処理はＳ１１１０へ移される。
【００３６】
Ｓ１１００にて、ＴＶ電話制御部１６０は、通話処理を終了する。その後、この処理は終了する。
【００３７】
Ｓ１１１０にて、ＴＶ電話制御部１６０は、チャンネル変更されたか否かを判定する。チャンネル変更されたと判定されると（Ｓ１１１０にてＹＥＳ）、処理はＳ１０２０へ移される。もしそうでないと（Ｓ１１１０にてＮＯ）、この処理はＳ１０８０へ移される。
【００３８】
（動作）
以上のような構造及びフローチャートに基づく本実施の形態に係るテレビ１００の動作について説明する。
【００３９】
・視聴している番組が同じである場合
以下において、自機と相手機とで同じ番組を視聴している場合の動作を図４および図５を用いて説明する。
【００４０】
ＴＶ電話が開始されて（Ｓ１０００にてＹＥＳ、Ｓ１０１０）、相手機へ視聴中の番組情報が問合せされて（Ｓ１０２０）、番組情報を受信する（Ｓ１０３０）。予め定められた時間において、図４に示すように同じ番組を視聴している場合には（Ｓ１０４０にてＹＥＳ、Ｓ１０５０にてＹＥＳ）、自機のマイク１４４から入力された信号から、相手機から受信した音声信号および自機のスピーカ１３４からの出力ＴＶ音声信号が、エコーキャンセル部１４０により消去される（Ｓ１０６０）。
【００４１】
自機も相手機も同じ制御を実行するので、図５に示すように、スピーカ１３４からは、相手機から受信した通話音声（背景ＴＶ音なしで相手の声のみ）および自機で受信してデコードした放送音声が出力される。マイク１４４では、スピーカ１３４から出力された音声に加えて、自機の周囲の音声（ここでは自分の音声とする）が入力される。
【００４２】
マイク１４４から入力された音声のうち、相手機から受信した通話音声（背景ＴＶ音なしで相手の声のみ）および自機で受信してデコードした放送音声が消去されて、通話処理が行われて、映像信号および音声信号（自分の声のみ）が相手機に送信される（Ｓ１０８０）。このような処理が、ＴＶ電話の終了要求を検出するまで継続される。このため、相手機から、相手機が受信して出力したＴＶ音声信号が消去されて送信されてくるので、自機でＴＶ音声がハウリングすることを回避できる。
【００４３】
・視聴している番組が同じでない場合
以下において、自機と相手機とで異なる番組を視聴している場合の動作を図６および図７を用いて説明する。上述した動作と同じ説明は繰り返さない。
【００４４】
予め定められた時間において、図６に示すように異なる番組を視聴している場合には（Ｓ１０４０にてＹＥＳ、Ｓ１０５０にてＮＯ）、自機のマイク１４４から入力された信号から、相手機から受信した音声信号が、エコーキャンセル部１４０により消去される（Ｓ１０７０）。
【００４５】
自機も相手機も同じ制御を実行するので、図７に示すように、スピーカ１３４からは、相手機から受信した通話音声（背景ＴＶ音＋相手の声）および自機で受信してデコードした放送音声が出力される。マイク１４４では、スピーカ１３４から出力された音声に加えて、自機の周囲の音声（ここでは自分の音声とする）が入力される。
【００４６】
マイク１４４から入力された音声のうち、相手機から受信した通話音声（背景ＴＶ音＋相手の声）が消去されて、通話処理が行われて、映像信号および音声信号（自機のＴＶ音声および自分の声のみ）が相手機に送信される（Ｓ１０８０）。このような処理が、ＴＶ電話の終了要求を検出するまで継続される。このため、相手機から、相手機が受信して出力したＴＶ音声信号が消去されないで送信されてくるので、相手機が自機とは異なる番組を視聴していることがわかるとともに、その番組を視聴しているときの相手の声を聞くことができる。
【００４７】
なお、いずれの動作においても、同じ番組を視聴しているか否かに関わらず、相手機から受信した通話音声（背景ＴＶ音なしで相手の声のみ、または、背景ＴＶ音および相手の声）は消去されるので、自機で音声がハウリングすることを回避できる。
【００４８】
（変形例）
なお、本発明の実施の形態については、以下のように変形することができる。
（１）受信する放送波は、デジタル放送波でなく、アナログ放送波でも構わない。
（２）ネットワーク回線を介した動画再生中であっても、番組情報の代わりに、たとえばＵＲＬ（Ｕｎｉｆｏｒｍ  Ｒｅｓｏｕｒｃｅ  Ｌｏｃａｔｏｒｓ）のようなコンテンツを一意に識別できる識別子（コンテンツ特定データ）を利用することで、上述と同様の制御を行うことができる。すなわち、現在再生されているコンテンツの一致／不一致により、エコーキャンセル部におけるＴＶ電話における音声信号の消去を決定する。
（３）現在視聴中の番組を示す番組情報は、相手機からの問合せ（ＴＶ電話開始時およびチャンネル変更時に送信される問合せ）に応答して相手機へ送信するようにしているが、一定時間毎に相手機へ送信するようにしても構わない。
（４）現在視聴中の番組を示す番組が変更されると（問合せるのではなく）、番組情報を相手機へ送信するようにしても構わない。
【産業上の利用可能性】
【００４９】
本発明は、たとえば、テレビ視聴（広くはコンテンツ視聴）とテレビ電話とを両立することのできる、画像音声通信に広く適用することができる。
【符号の説明】
【００５０】
１００    テレビ
１２４    モニタ
１３４    スピーカ
１４０    エコーキャンセル部
１４４    マイク
１５４    カメラ
１６０    ＴＶ電話制御部
【図１】
2012175192.tif 000003
【図２】
2012175192.tif 000004
【図３】
2012175192.tif 000005
【図４】
2012175192.tif 000006
【図５】
2012175192.tif 000007
【図６】
2012175192.tif 000008
【図７】
2012175192.tif 000009